(57)【特許請求の範囲】
【請求項１】
液透過性のトップシートと、液不透過性のバックシートと、前記トップシート及びバックシートの間の吸収シートとを含む吸収性物品であって、
前記吸収シートが、着色部を有する第１の面と、第１の面の着色部が透けて見える、第１の面の反対側にある第２の面とを有し、
前記吸収シートが、折り畳み線によって、複数の区域に区分けされるとともに、第２の面を内側に向け、折り畳み線に沿って少なくとも１回折り畳まれた状態で、前記トップシート及びバックシートの間に配置されており、
次の（ｉ）〜（ｉｉｉ）、
（ｉ）前記吸収性物品のトップシート側から、前記吸収シートの、トップシートに最も近い領域の第１の面に配置されている前記着色部が透けて見えること、
（ｉｉ）前記吸収性物品のバックシート側から、前記吸収シートの、バックシートに最も近い領域の第１の面に配置されている前記着色部が透けて見えること、及び
（ｉｉｉ）前記吸収性物品のトップシート側から、前記吸収シートの、トップシートに最も近い領域の、吸収性物品の厚さ方向に隣接する領域の第１の面に配置されている前記着色部がさらに透けて見えるか、そして／又は前記吸収性物品のバックシート側から、前記吸収シートの、バックシートに最も近い領域の、吸収性物品の厚さ方向に隣接する領域の第１の面に配置されている前記着色部がさらに透けて見えること、
を特徴とする、前記吸収性物品。
【請求項２】
前記吸収シートが、前記吸収性物品の略長手方向に延びる２本の折り畳み線により、前記吸収性物品の幅方向の側縁を含む第１の領域及び第２の領域と、第１の領域及び第２の領域の間の中間領域との３つの領域に区分けされると共に、第２の面を内側に向け且つ第２の領域が第１の領域よりも外側になるように２回折り畳まれており、前記吸収性物品のトップシート側及び／又はバックシート側から、第１の領域の第１の面に配置されている前記着色部がさらに透けて見える、請求項１に記載の吸収性物品。
【請求項３】
前記吸収性物品のトップシート側及び／又はバックシート側から、第１の領域、第２の領域及び中間領域内の第１の面に配置されている前記着色部が透けて見える、請求項２に記載の吸収性物品。
【請求項４】
前記吸収シートが、前記吸収性物品の略長手方向に延びる１本の折り畳み線により、第１の領域及び第２の領域に区分けされると共に、第２の面を内側に向けて１回折り畳まれており、前記吸収性物品のトップシート側及び／又はバックシート側から、第１の領域の第１の面に配置されている前記着色部と、第２の領域の第１の面に配置されている前記着色部とが透けて見える、請求項１に記載の吸収性物品。
【請求項５】
前記吸収シートに覆われている吸収コアをさらに含む、請求項１〜４のいずれか一項に記載の吸収性物品。
【請求項６】
各領域における前記着色部の面積が、バックシートに近づくほど大きくなる、請求項１〜５のいずれか一項に記載の吸収性物品。
【請求項７】
第２の面に、着色部をさらに有する、請求項１〜６のいずれか一項に記載の吸収性物品。
【請求項８】
個包装型の生理用ナプキン、又はパンティーライナーである、請求項１〜７のいずれか一項に記載の吸収性物品。
【請求項９】
請求項１〜８のいずれか一項に記載の吸収性物品の製造方法であって、
次の各工程、
液透過性のトップシートと、液不透過性のバックシートと、吸収シートと、所望による吸収コアとを準備する工程、
前記吸収シートの第１の面に着色部を形成する工程、
前記吸収シートを、所望により吸収コアを間に挟んで、第２の面を内側に向け、少なくとも１回折り畳む工程、そして
前記液透過性のトップシートと、前記液不透過性のバックシートとを、前記吸収シートを間に挟んで、貼り合わせる工程、
を含む方法。
【発明の詳細な説明】
【技術分野】
【０００１】
本発明は、吸収性物品に関する。本発明は、特に、製造コストが低い、トップシート側及びバックシート側の両側から、あらかじめ定められた模様が見える吸収性物品に関する。
【背景技術】
【０００２】
吸収性物品、例えば、生理用ナプキン、パンティーライナー等では、特許文献１に記載されるように、一見して、生理用ナプキンであることが分かりにくいように、そして吸収した経血が外側から見えないように、吸収性物品のバックシートに、一定の模様が印刷されたものが知られている。
【０００３】
一方、特許文献２に記載されるように、吸収性物品の吸収性能を視認させるために、吸収性物品、例えば、生理用ナプキンのトップシート側から、一定の模様が見えるものも知られている。
【先行技術文献】
【特許文献】
【０００４】
【特許文献１】特開２００３−１９９７８６号
【特許文献２】特表２００５−５１２６８２号
【発明の概要】
【発明が解決しようとする課題】
【０００５】
しかし、吸収性物品のトップシート側及びバックシート側の両方から、一定の模様が見える吸収性物品は知られておらず、また、吸収性物品に、トップシート側から見える模様を付す印刷ラインと、バックシート側から見える模様を付す印刷ラインとの２つの印刷ラインを設けることは、製造コストが高く、さらに製造機器のメンテナンス等の費用も高くなる。
従って、本発明は、製造コストが低い、トップシート側及びバックシート側の両側から、あらかじめ定められた模様が見える吸収性物品を提供することを目的とする。
【課題を解決するための手段】
【０００６】
本発明者らは、上記課題を解決するために鋭意検討した結果、液透過性のトップシートと、液不透過性のバックシートと、上記トップシート及びバックシートの間の吸収シートとを含む吸収性物品であって、上記吸収シートが、着色部を有する第１の面と、第１の面の着色部が透けて見える、第１の面の反対側にある第２の面とを有し、上記吸収シートが、折り畳み線によって、複数の区域に区分けされるとともに、第２の面を内側に向け、折り畳み線に沿って少なくとも１回折り畳まれた状態で、上記トップシート及びバックシートの間に配置されており、（ｉ）上記吸収性物品のトップシート側から、上記吸収シートの、トップシートに最も近い領域の第１の面に配置されている上記着色部が透けて見えること、（ｉｉ）上記吸収性物品のバックシート側から、上記吸収シートの、バックシートに最も近い領域の第１の面に配置されている上記着色部が透けて見えること、及び（ｉｉｉ）上記吸収性物品のトップシート側から、上記吸収シートの、トップシートに最も近い領域の、吸収性物品の厚さ方向に隣接する領域の第１の面に配置されている上記着色部がさらに透けて見えるか、そして／又は上記吸収性物品のバックシート側から、上記吸収シートの、バックシートに最も近い領域の、吸収性物品の厚さ方向に隣接する領域の第１の面に配置されている上記着色部がさらに透けて見えることを特徴とする吸収性物品により、上記課題を解決できることを見出し、本発明を完成するに至った。
【０００７】
具体的には、本発明は以下の態様に関する。
［態様１］
液透過性のトップシートと、液不透過性のバックシートと、上記トップシート及びバックシートの間の吸収シートとを含む吸収性物品であって、
上記吸収シートが、着色部を有する第１の面と、第１の面の着色部が透けて見える、第１の面の反対側にある第２の面とを有し、
上記吸収シートが、折り畳み線によって、複数の区域に区分けされるとともに、第２の面を内側に向け、折り畳み線に沿って少なくとも１回折り畳まれた状態で、上記トップシート及びバックシートの間に配置されており、
次の（ｉ）〜（ｉｉｉ）、
（ｉ）上記吸収性物品のトップシート側から、上記吸収シートの、トップシートに最も近い領域の第１の面に配置されている上記着色部が透けて見えること、
（ｉｉ）上記吸収性物品のバックシート側から、上記吸収シートの、バックシートに最も近い領域の第１の面に配置されている上記着色部が透けて見えること、及び
（ｉｉｉ）上記吸収性物品のトップシート側から、上記吸収シートの、トップシートに最も近い領域の、吸収性物品の厚さ方向に隣接する領域の第１の面に配置されている上記着色部がさらに透けて見えるか、そして／又は上記吸収性物品のバックシート側から、上記吸収シートの、バックシートに最も近い領域の、吸収性物品の厚さ方向に隣接する領域の第１の面に配置されている上記着色部がさらに透けて見えることことを特徴とする、
上記吸収性物品。
【０００８】
［態様２］
上記吸収シートが、上記吸収性物品の略長手方向に延びる２本の折り畳み線により、上記吸収性物品の幅方向の側縁を含む第１の領域及び第２の領域と、第１の領域及び第２の領域の間の中間領域との３つの領域に区分けされると共に、第２の面を内側に向け且つ第２の領域が第１の領域よりも外側になるように２回折り畳まれており、上記吸収性物品のトップシート側及び／又はバックシート側から、第１の領域の第１の面に配置されている上記着色部がさらに透けて見える、態様１に記載の吸収性物品。
【０００９】
［態様３］
上記吸収性物品のトップシート側及び／又はバックシート側から、第１の領域、第２の領域及び中間領域の第１の面に配置されている上記着色部が透けて見える、態様２に記載の吸収性物品。
【００１０】
［態様４］
上記吸収シートが、上記吸収性物品の略長手方向に延びる１本の折り畳み線により、第１の領域及び第２の領域に区分けされると共に、第２の面を内側に向けて１回折り畳まれており、上記吸収性物品のトップシート側及び／又はバックシート側から、第１の領域の第１の面に配置されている上記着色部と、第２の領域の第１の面に配置されている上記着色部とが透けて見える、態様１に記載の吸収性物品。
【００１１】
［態様５］
上記吸収シートに覆われている吸収コアをさらに含む、態様１〜４のいずれか一つに記載の吸収性物品。
［態様６］
各領域における上記着色部の面積が、バックシートに近づくほど大きくなる、態様１〜５のいずれか一つに記載の吸収性物品。
【００１２】
［態様７］
第２の面に、着色部をさらに有する、態様１〜６のいずれか一つに記載の吸収性物品。
［態様８］
個包装型の生理用ナプキン、又はパンティーライナーである、態様１〜７のいずれか一つに記載の吸収性物品。
【００１３】
［態様９］
態様１〜８のいずれか一つに記載の吸収性物品の製造方法であって、
次の各工程、
液透過性のトップシートと、液不透過性のバックシートと、吸収シートと、所望による吸収コアとを準備する工程、
上記吸収シートの第１の面に着色部を形成する工程、
上記吸収シートを、所望により吸収コアを間に挟んで、第２の面を内側に向け、少なくとも１回折り畳む工程、そして
上記液透過性のトップシートと、上記液不透過性のバックシートとを、上記吸収シートを間に挟んで、貼り合わせる工程、
を含む方法。
【発明の効果】
【００１４】
本発明の、トップシート側及びバックシート側の両側から、あらかじめ定められた模様が見える吸収性物品は、簡易に製造されるので、製造コストが低い。
【図面の簡単な説明】
【００１５】
【図１】図１は、本発明の吸収性物品の実施形態の１つの正面図及び背面図である。
【図２】図２は、図１で示される吸収性物品のＡ−Ａ断面における断面図である。
【図３】図３は、図２に示される吸収性物品の吸収シートの展開図である。
【図４】図４は、本発明の吸収性物品の別の実施形態の正面図及び背面図である。
【図５】図５は、図４に示される吸収性物品の模様を形成することができる吸収シートの一例の展開図である。
【図６】図６は、図４に示される吸収シートを含む吸収性物品の実施形態の１つを示す図である。
【図７】図７は、本発明の吸収性物品のさらに別の実施形態の正面図及び背面図である。
【図８】図８は、図７に示される吸収性物品の模様を形成することができる吸収シートの一例の展開図である。
【図９】図９は、図８に示される吸収シートを含む吸収性物品の実施形態の１つを示す図である。
【図１０】図１０は、本発明の吸収性物品のさらに別の実施形態の正面図及び背面図である。
【図１１】図１１は、図１０に示される吸収性物品の模様を形成することができる吸収シートの一例の展開図である。
【図１２】図１２は、図１１に示される吸収シートを含む吸収性物品の実施形態の１つを示す図である。
【図１３】図１３は、吸収シートが二つ折りされている吸収性物品の、図１のＡ−Ａ断面に相当する断面図である。
【図１４】図１４は、図１３に示される吸収性物品の吸収シートの展開図である。
【図１５】図１５は、図１３及び図１４記載される吸収性物品の正面図及び背面図である。
【発明を実施するための形態】
【００１６】
本発明の吸収性物品について、以下、詳細に説明する。
図１は、本発明の吸収性物品の実施形態の１つの正面図及び背面図である。図１（ａ）がトップシート側の正面図であり、そして図１（ｂ）がバックシート側の背面図である。図１に示される吸収性物品１は、液透過性のトップシート２と、液不透過性のバックシート３と、吸収シート４と、サイドシート６と、下着への固定部８とを含み、トップシート２の側及びバックシート３の側の両側から、あらかじめ定められた模様５が見える。また、図１に示される吸収性物品１は、圧搾部７を有する。
【００１７】
図１に示される吸収性物品１では、トップシート２の側から、大きさ及び明度の異なる３つの同心楕円から形成される模様５が見え、そしてバックシート３の側から、楕円の模様５が見える。
【００１８】
図２は、図１で示される吸収性物品１の、Ａ−Ａ断面における断面図である。図２に示される吸収性物品１において、吸収シート４は、着色部９（第１の領域１２の着色部９’、第２の領域１３の着色部９''、及び中間領域１４の着色部９'''から成る）を有する第１の面１０と、第１の面１０の着色部が透けて見える、第１の面１０の反対側にある第２の面１１とを有し、トップシート２及びバックシート３の間に配置されている。
なお、図２に示される吸収性物品１は、トップシート２と、吸収シート４とを一緒に圧搾することにより形成された圧搾部７を有する。
【００１９】
図２に示される吸収性物品１において、吸収シート４が、吸収性物品１の略長手方向に延びる２本の折り畳み線（図３に示される、ｆ1−ｆ1及びｆ2−ｆ2）により、吸収性物品１の幅方向の側縁を含む第１の領域１２及び第２の領域１３と、第１の領域１２及び第２の領域１３の間の中間領域１４との３つの領域に区分けされ、第２の面１１を内側に向け且つ第２の領域１３が第１の領域１２よりも外側になるように２回折り畳まれた状態で、トップシート２及びバックシート３の間に配置されている。
【００２０】
図２に示される吸収性物品１において、
（ｉ）吸収性物品１のトップシート２の側から、吸収シート４の、トップシートに最も近い領域である中間領域１４の第１の面１０に配置されている着色部９'''が透けて見えること、
（ｉｉ）吸収性物品１のバックシート３の側から、吸収シート４の、バックシートに最も近い領域である第２の領域１３の第１の面１０に配置されている着色部９''が透けて見えること、及び
（ｉｉｉ）吸収性物品１のトップシート２の側から、吸収シート４の、第１の領域１２の第１の面１０に配置されている着色部９’と、吸収シート４の、第２の領域１３の第１の面１０に配置されている着色部９''とがさらに透けて見えること、
により、吸収性物品１のトップシート２の側の模様（図１における符号５）と、吸収性物品１のバックシート３の側の模様（図１における符号５）とが形成されている。
【００２１】
図３は、図２に示される吸収性物品１の吸収シート４の展開図である。吸収シート４は、着色部９（第１の領域１２の着色部９’、第２の領域１３の着色部９''、及び中間領域１４の着色部９'''から成る）を有する第１の面１０と、第１の面１０の着色部９が透けて見える、第１の面１０の反対側にある第２の面１１とを有し、吸収シート４は、吸収性物品１の略長手方向に延びる２本の折り畳み線ｆ1−ｆ1及びｆ2−ｆ2により、吸収性物品１の幅方向の側縁を含む第１の領域１２及び第２の領域１３と、第１の領域１２及び第２の領域１３の間の中間領域１４との３つの領域に区分けされている。
【００２２】
なお、図３に示される吸収シート４では、着色部９’、着色部９''及び着色部９'''が、全て同一の明度を有するように記載されているが、本発明の別の実施形態では、着色部９’と、着色部９''と、着色部９'''とが全て異なる明度を有してもよく、あるいは着色部９’、着色部９''及び着色部９'''のうち、いずれか２つが異なる明度を有していてもよい。
【００２３】
図１〜３に示される実施形態では、図３に示されるように、着色部９（着色部９’，着色部９''及び着色部９'''から成る）は、すべで同一の明度を有するが、トップシート２の側からは、一見、それぞれの明度が異なるように見える。その理由は、着色部９'''で反射された反射光は、トップシート２を透過して、看者に観察されるが、着色部９’で反射された反射光は、トップシート２と、計２回の吸収シート４とを透過して、看者に観察され、そして着色部９''から発生された光は、トップシート２と、計３回の吸収シート４とを透過して、看者に観察される。同様に、バックシート３の側からは、着色部９（着色部９’，着色部９''及び着色部９'''から成る）で反射された反射光は、バックシート３と、１回又は複数回の吸収シート４とを透過した後、看者に観察される。
【００２４】
トップシート、バックシート、及び吸収シートは、それぞれ、固有の光線透過率を有するので、各着色部で反射された反射光は、トップシート、バックシート及び／又は吸収シートを透過する回数に応じて減衰され、トップシート側及びバックシート側では、見られる着色部の明度に差が生じ、その結果、トップシート及び／又はバックシートに模様が形成される。
【００２５】
なお、本明細書では、添付の図面が白黒であることに基づいて、明度についてのみ論じているが、実際の製品では、着色部は有彩色であるのが一般的であり、有彩色を有する各着色部もまた、トップシート、バックシート及び／又は吸収シートを透過する回数に応じて減衰され、その結果、見られる着色部の明度、色相、彩度等が変化する。
【００２６】
なお、図２では、吸収シート４は、中央領域１４がトップシート２の側を向くように配置されているが、本発明の別の実施形態では、吸収シートが、中央領域がバックシート側を向くように配置されていてもよい。
【００２７】
図１〜３に示される吸収性物品では、トップシート側の模様は、吸収性能の高さを知覚させる作用を有し、そしてバックシート側の模様は、吸収した経血が見えにくくする作用を有する。本発明の吸収性物品は、これらの作用を有する模様を、トップシート側及びバックシート側の両方に、簡易に有することができる。
【００２８】
図４は、本発明の吸収性物品の別の実施形態の正面図及び背面図である。図４（ａ）がトップシート側の正面図であり、そして図４（ｂ）がバックシート側の背面図である。図４に示される吸収性物品１は、液透過性のトップシート２と、液不透過性のバックシート３と、吸収シート４と、サイドシート６と、下着への固定部８とを含み、トップシート２の側及びバックシート３の側の両側から、あらかじめ定められた模様５が見える。また、図４に示される吸収性物品１は、圧搾部７を有する。
【００２９】
図４に示される吸収性物品１では、トップシート２の側から、大きさ及び明度の異なる２つの同心楕円から形成される模様５が見え、そしてバックシート３の側から、明度の異なる星形絵柄が正六角形の頂点の位置に配置されている模様５が見える。
【００３０】
図５は、図４に示される吸収性物品１の模様５を形成することができる吸収シートの一例の展開図である。図５に示される吸収シート４は、着色部９（着色部９’、着色部９''、及び着色部９'''から成る）を有する第１の面１０と、第１の面１０の着色部９が透けて見える、第１の面１０の反対側にある第２の面１１とを有し、吸収シート４は、吸収性物品１の略長手方向に延びる２本の折り畳み線ｆ1−ｆ1及びｆ2−ｆ2により、吸収性物品１の幅方向の側縁を含む第１の領域１２及び第２の領域１３と、第１の領域１２及び第２の領域１３の間の中間領域１４との３つの領域に区分けされている。
【００３１】
図６は、図５に示される吸収シート４を含む吸収性物品の実施形態の１つを示す図である。図６は、図４で示される吸収性物品の、Ａ−Ａ断面における断面図である。
図６に示される吸収性物品１は、液透過性のトップシート２と、液不透過性のバックシート３と、吸収シート４と、サイドシート６と、吸収コア１５と、下着への固定部８とを含む。また、図６に示される吸収性物品１は、トップシート２と、吸収シート４と、吸収コア１５とを一緒に圧搾することにより形成された圧搾部７を有する。図６に示される吸収性物品１において、吸収シート４が、吸収性物品１の略長手方向に延びる２本の折り畳み線（図５に示される、ｆ1−ｆ1及びｆ2−ｆ2）に沿って、第２の面１１を内側に向け、吸収コア１５を間に挟み、そして第２の領域１３が第１の領域１２よりも外側になるように２回折り畳まれている。
なお、図６において、着色部９’及び着色部９''は、理解を助けるために、本来、Ａ−Ａ断面では観察されないものも示されている。
【００３２】
図６に示される吸収性物品１では、吸収シート４が、吸収コア１５を覆っている。換言すると、吸収コア１５が、第１の領域１２及び第２の領域１３と、中間領域１４とを分断している。吸収コアは、通常、ある程度の厚みがあり、隠蔽力も高いので、トップシート２の側から、吸収コア１５の下にある、第１の領域１２の第１の面１０に配置されている着色部９’と、第２の領域１３の第１の面１０に配置されている着色部９''とは透けて見えにくい。
一方、バックシート３の側からは、吸収コア１５の上にある、中間領域１４の第１の面に配置されている着色部９'''は、透けて見えにくい。
【００３３】
従って、本発明において、吸収コアは、吸収性物品の吸収力を増すだけでなく、着色部を隠蔽するためにも用いられうるので、図４〜６に示されるような吸収性物品は、吸収力に優れるだけでなく、トップシート側と、バックシート側とで大きく異なる模様を有することができる。従って、吸収コアを含む、本発明の吸収性物品は、トップシート側と、バックシート側とで大きく異なる模様を、簡易に有することができる。
なお、吸収コアが、十分な隠蔽力を有するためには、吸収コアが、４０％以下の、後述の全光線透過率を有することが好ましい。
【００３４】
なお、図４〜６に示される実施形態において、第１の領域１２の第１の面１０に配置されている着色部９’が、トップシート２の側から見えるためには、着色部９’で反射された反射光が、吸収シート４を計２回（第１の領域１２及び中間領域１４）、減衰しながら透過し、次いでトップシート２を減衰しながら透過した後に、トップシート２の側から見える必要がある。従って、本発明の吸収性物品は、吸収コアを有しない場合であっても、トップシート、吸収シート等の光線透過率を調整することにより、光線を透過しにくくし、トップシート側と、バックシート側とで、大きく異なる模様を有することができ、これらも、本発明の実施形態に含まれる。
【００３５】
図７は、本発明の吸収性物品のさらに別の実施形態の正面図及び背面図である。図７（ａ）がトップシート側の正面図であり、そして図７（ｂ）がバックシート側の背面図である。図７に示される吸収性物品１は、液透過性のトップシート２と、液不透過性のバックシート３と、吸収シート４と、サイドシート６と、下着への固定部８とを含み、トップシート２の側及びバックシート３の側の両側から、あらかじめ定められた模様５が見える。また、図７に示される吸収性物品１は、圧搾部７を有する。
【００３６】
図７に示される吸収性物品１では、トップシート２の側から、複数の星形絵柄から形成される模様であって、吸収性物品１の幅方向の中央ほど明度が低く（濃く）、３段階の明度の星形絵柄を有する模様５が見える。一方、バックシート３の側から、複数の星形絵柄から形成される模様であって、吸収性物品１の幅方向の中央ほど明度が高く（薄く）、３段階の明度の星形絵柄を有する模様５が見える。
【００３７】
図８は、図７に示される吸収性物品１の模様を形成することができる吸収シートの一例の展開図である。図８に示される吸収シート４は、着色部９（第１の領域１２の着色部９’、第２の領域１３の着色部９''、及び中間領域１４の着色部９'''から成る）を有する第１の面１０と、第１の面１０の着色部９が透けて見える、第１の面１０の反対側にある第２の面１１とを有し、吸収シート４は、吸収性物品１の略長手方向に延びる２本の折り畳み線ｆ1−ｆ1及びｆ2−ｆ2により、吸収性物品１の幅方向の側縁を含む第１の領域１２及び第２の領域１３と、第１の領域１２及び第２の領域１３の間の中間領域１４との３つの領域に区分けされている。
【００３８】
なお、図８に示される吸収シート４では、着色部９’、着色部９''及び着色部９'''は、全て同一の明度を有するが、本発明の別の実施形態では、着色部９’と、着色部９''と、着色部９'''とが全て異なる明度を有してもよく、又は着色部９’、着色部９''及び着色部９'''のうち、いずれか２つが異なる明度を有していてもよい。
【００３９】
図９は、図８に示される吸収シート４を含む吸収性物品の実施形態の１つを示す図である。図９は、図７で示される吸収性物品１の、Ａ−Ａ断面における断面図である。
図９に示される吸収性物品１は、液透過性のトップシート２と、液不透過性のバックシート３と、吸収シート４と、サイドシート６と、下着への固定部８とを含む。また、図９に示される吸収性物品１は、トップシート２と、吸収シート４と、吸収コア１５とを一緒に圧搾することにより形成された圧搾部７を有する。図９に示される吸収性物品１において、吸収シート４が、吸収性物品１の略長手方向に延びる２本の折り畳み線（図８に示される、ｆ1−ｆ1及びｆ2−ｆ2）に沿って、第２の面１１を内側に向け且つ第２の領域１３が第１の領域１２よりも外側になるように２回折り畳まれている。
なお、図９において、着色部９’及び着色部９''は、理解を助けるために、本来、Ａ−Ａ断面では観察されないものも示されている。
【００４０】
図７〜図９に示されるような吸収性物品は、トップシート側及びバックシート側の両方に、意匠性の高い模様を有する。本発明の吸収性物品は、このような意匠性の高い模様を、吸収性物品のトップシート側及びバックシート側の両方に、簡易に有することができる。
【００４１】
図１０は、本発明の吸収性物品のさらに別の実施形態の正面図及び背面図である。図１０（ａ）がトップシート側の正面図であり、そして図１０（ｂ）がバックシート側の背面図である。図１０に示される吸収性物品１は、液透過性のトップシート２と、液不透過性のバックシート３と、吸収シート４と、サイドシート６と、下着への固定部８とを含み、トップシート２の側及びバックシート３の側の両側から、あらかじめ定められた模様５が見える。また、図１０に示される吸収性物品１は、圧搾部７を有する。
【００４２】
図１０に示される吸収性物品１では、トップシート２の側から、大きさ及び明度の異なる２つの同心楕円ものから形成される模様が見え、そしてバックシート側から、明度の低い（濃い）、製品の前後を表わす目印と、明度の高い（薄い）、星形絵柄とからなる模様とが見える。
【００４３】
図１１は、図１０に示される吸収性物品の模様を形成することができる吸収シートの一例の展開図である。図１１に示される吸収シート４は、着色部９（第１の領域１２の着色部９’、第２の領域１３の着色部９''、及び中間領域１４の着色部９'''から成る）を有する第１の面１０と、第１の面１０の着色部９が透けて見える、第１の面１０の反対側にある第２の面１１とを有し、吸収シート４は、吸収性物品１の略長手方向に延びる２本の折り畳み線ｆ1−ｆ1及びｆ2−ｆ2により、吸収性物品１の幅方向の側縁を含む第１の領域１２及び第２の領域１３と、第１の領域１２及び第２の領域１３の間の中間領域１４との３つの領域に区分けされている。
【００４４】
図１２は、図１１に示される吸収シート４を含む吸収性物品の実施形態の１つを示す図である。図１２は、図１０で示される吸収性物品の、Ａ−Ａ断面における断面図である。
図１２に示される吸収性物品１は、液透過性のトップシート２と、液不透過性のバックシート３と、吸収シート４と、サイドシート６と、下着への固定部８とを含む。また、図１２に示される吸収性物品１は、トップシート２と、吸収シート４とを一緒に圧搾することにより形成された圧搾部７を有する。図１２に示される吸収性物品１において、吸収シート４が、吸収性物品１の略長手方向に延びる２本の折り畳み線（図１１に示される、ｆ1−ｆ1及びｆ2−ｆ2）に沿って、第２の面１１を内側に向け且つ第２の領域１３が第１の領域１２よりも外側になるように２回折り畳まれている。
なお、図１２において、着色部９’及び９''は、理解を助けるために、本来、Ａ−Ａ断面では観察されないものも示されている。
【００４５】
図１０〜１２に示される吸収性物品は、低い明度（濃い色）の重要な情報（着用方向等）と、高い明度（薄い色）のデザインとを有することができる。本発明の吸収性物品は、トップシート側及びバックシート側の両方に、これらを簡易に有することができる。
【００４６】
本明細書において、吸収シートに関して用いられる「透けて見える」の用語は、本発明に用いられる吸収シートの、ＪＩＳ  Ｋ７１０５−１９８１の５．５．２の「測定法Ａ」に従って測定される「全光線透過率」が、４０％超であることを意味する。
【００４７】
上記全光線透過率は、例えば、日本電色工業株式会社製の測色色差計（型式ＮＤＨ−３００Ａ）を用いて、以下の条件の下で測定することができる。
・受光素子：ＪＩＳ  Ｋ７１０５−１９８１に準拠するシリコンフォトセル
・フィルター：色ガラスフィルタ  Ｙ
・測定面積：φ１２ｍｍ
全光線透過率が４０％超であると、第１の面の着色部で反射された反射光のうち、４０％超が第２の面側に透過するので、第２の面から、第１の面にある着色部が見えやすい。
なお、第２の面から、第１の面の着色部がより透けて見えるために、上記全光線透過率は、４５％超であることが好ましく、５０％超であることがより好ましく、そして５５％超であることがさらに好ましい。
【００４８】
本発明に用いられる吸収シートは、印刷ができ、そして第１の面の着色部が、第２の面から透けて見えるような（隠蔽力の低い）ものであれば、特に制限されるものではなく、例えば、ティッシュ、スパンレース不織布、スパンボンド不織布、ＳＭＳ（スパンボンド・メルトブローン・スパンボンド）不織布、ＳＭ（スパンボンド・メルトブローン）不織布等が挙げられ、そして全光線透過率の高さから、ティッシュが好ましい。エアレイドシート、エアスルー不織布等は、その製法に由来して、嵩が高くなる傾向があり、全光線透過率が低くなりやすいので、あまり好ましくない。
【００４９】
上記全光線透過率は、例えば、吸収シートを構成する繊維の坪量、嵩、繊維の太さ、繊維に含まれる顔料、例えば、酸化チタンの割合等によって変化し、繊維の坪量が多いほど、嵩が高いほど、繊維が細いほど、繊維に含まれる顔料の割合が高いほど、全光線透過率が低くなる（隠蔽率が高くなる）傾向がある。
【００５０】
第１の面の着色部としては、特に制限されず、当技術分野で通常用いられている手法、例えば、グラビア印刷、スクリーン印刷、フレキソ印刷等の印刷手段を用いて形成されたもの、又は着色されたホットメルト等をノズル等から塗布することにより形成されたもの等が挙げられる。
【００５１】
例えば、グラビア印刷を用いて、単一の着色材料で、その単位面積当りの量を変化させながら、吸収シートの第１の面に着色部を形成することができる。グラビア印刷等の手段は、単位面積当りの量を変化させることにより、単一の着色材料から、濃淡を表現することができるので、製造コストの観点から有利である。
あるいは、スクリーン印刷、フレキソ印刷等の手段を用いて、色彩の異なる複数の着色材料で、上記吸収シートの第１の面に着色部を形成することができる。
【００５２】
なお、本発明の吸収性物品では、複数の領域に着色部を配置し、吸収シート等の光線透過率及び経路差を利用して、単色の着色部から、明度、色相、彩度等の異なる模様を簡易に形成することができる。
【００５３】
本明細書において、吸収性物品のトップシート側及びバックシート側から見える模様に関する「透けて見える」又は「見える」の用語は、トップシート側及びバックシートの、上述の全光線透過率が、それぞれ、４０％超であることを意味する。
上記全光線透過率が４０％超であると、トップシート又はバックシートを透過した光が、それぞれ、中にある吸収シートの着色部で反射し、人間の目が、上記着色部により形成される模様を認識できる。
【００５４】
上記光線透過率の要件を満たすトップシートとしては、当技術分野で通常用いられているものを、特に制限せずに選択することができ、例えば、不織布、織布、その全部又は一部が液透過性であり、多数の液透過孔が形成された樹脂フィルム、多数の網目を有するネット状シートが挙げられる。上記不織布としては、レーヨン等のセルロース繊維、合成樹脂繊維等から形成されたスパンレース不織布、上記合成樹脂繊維から形成されたエアスルー不織布等が挙げられる。
上記樹脂フィルム及びネット状シートとしては、ポリプロピレン、ポリエチレン、ポリエチレンテレフタレート等から形成されたものが挙げられる。
【００５５】
上記トップシートとしては、当技術分野で通常用いられているものであれば、概ね、上記全光線透過率の要件を満足し、あらかじめ定められた模様が見える。従って、上記トップシートは、吸収性物品としての性能を考慮して、好ましくは約５〜約１００ｇ／ｍ2の範囲、より好ましくは約２０〜約５０ｇ／ｍ2の範囲、そしてさらに好ましくは約１０〜約４０ｇ／ｍ2の範囲の坪量を有するべきである。
【００５６】
なお、上記トップシートにおいても、全光線透過率は、トップシートが繊維を含む場合には、当該トップシートを構成する繊維の坪量が多いほど、嵩が高いほど、繊維が細いほど、そして繊維に含まれる顔料の割合が高いほど、全光線透過率が低くなる傾向があり、トップシートが樹脂フィルムの場合には、その厚さが厚いほど、顔料等の着色剤の割合が高いほど、全光線透過率が低くなる傾向がある。
【００５７】
上記光線透過率の要件を満たすバックシートとしては、液不透過性を有するものであれば、当技術分野で通常用いられているものを、特に制限されずに用いることができ、例えば、低密度ポリエチレンシート等が挙げられる。
上記バックシートとしては、当技術分野で通常用いられているものであれば、概ね、上記全光線透過率の要件を満足し、あらかじめ定められた模様が見えるので、上記バックシートは、吸収性物品としての性能を考慮して、好ましくは約１５〜約４０ｇ／ｍ2の範囲の坪量を有するべきである。
なお、上記バックシートにおいても、全光線透過率は、その厚さが厚いほど、顔料等の着色剤の割合が高いほど、全光線透過率が低くなる傾向がある。
【００５８】
本発明の吸収性物品において、サイドシートは、所望による要素であり、存在する場合には、トップシートと同様の素材から形成されたものであることができる。
本発明の吸収性物品において、固定部は、所望による要素であり、存在する場合には、当技術分野で通常用いられている粘着剤、例えば、ホットメルト粘着剤、例えば、ポリオレフィン（例えば、ポリエチレン及びポリプロピレン）系ホットメルト粘着剤、エチレン・酢酸ビニル共重合体系ホットメルト粘着剤、合成ゴム（例えば、スチレン系コポリマー、ブタジエン系コポリマー、イソプレン系コポリマー）系ホットメルト粘着剤、アクリル樹脂系粘着剤、ポリビニルアルコール系粘着剤等が挙げられる。
上記固定部は、親水性保護コロイド層を有するアクリル系エマルジョンから成る粘着剤であることもできる。
【００５９】
本明細書において、吸収コアは、所望による要素であり、例えば、粉砕パルプ、化学パルプ、セルロース繊維、及びレーヨン、アセテート等の人工セルロース繊維、合成繊維、並びにこれらのシート化物、例えば、エアレイドシート、スルーエア不織布等が挙げられる。上記吸収コアは、高吸収性ポリマー、例えば、デンプン系、アクリル酸系、アミノ酸系の粒子状又は繊維状のポリマーをさらに含むことができる。
【００６０】
本発明の吸収性物品は、以下のように製造されうる。
液透過性のトップシートと、液不透過性のバックシートと、吸収シートと、所望による吸収コアとを準備し、次いで、吸収シートの第１の面に着色部を形成する。上記着色部は、上述のグラビア印刷、スクリーン印刷、フレキソ印刷等の手段を用いて、吸収シートを印刷することにより得ることができる。
【００６１】
次いで、上記吸収シートを、所望により吸収コアを間に挟んで、第２の面を内側に向け、少なくとも１回折り畳み、そして上記液透過性のトップシートと、上記液不透過性のバックシートとを、上記吸収シートを間に挟んで、貼り合わせる。
上記液透過性のトップシートと、上記液不透過性のバックシートとを、上記吸収シートを間に挟んで、貼り合わせる前に、液透過性のトップシートと、吸収シートとを圧搾して、圧搾部を形成することもできる。また、吸収シートのみを圧搾することにより、圧搾部を形成することもできる。
【００６２】
以上、本発明の吸収性物品について、吸収シートが、２本の折り畳み線により折り畳まれているもの、すなわち、三つ折りの吸収シートの例を列挙してきたが、本発明では、吸収シートの折り畳み線の本数、すなわち、折り畳みの回数は、特に制限されず、図１３〜１５に示されるような、二つ折りの吸収シートであってもよい。
【００６３】
図１３は、吸収シートが二つ折りされている吸収性物品の、図１のＡ−Ａ断面に相当する断面図である。図１３に示される吸収性物品１において、吸収シート４は、着色部９（第１の領域１２の着色部９’、及び第２の領域１３の着色部９''から成る）を有する第１の面１０と、第１の面１０の着色部が透けて見える、第１の面１０の反対側にある第２の面１１とを有し、トップシート２及びバックシート３の間に配置されている。
なお、図１３に示される吸収性物品１は、トップシート２と、吸収シート４とを一緒に圧搾することにより形成された圧搾部７を有する。
【００６４】
図１３に示される吸収性物品１において、吸収シート４が、吸収性物品１の略長手方向に延びる１本の折り畳み線ｆ−ｆにより、第１の領域１２及び第２の領域１３に区分けされると共に、第２の面１１を内側に向けて１回折り畳まれており、吸収性物品１のトップシート２の側及びバックシート３の側から、第１の領域１２の第１の面１０に配置されている着色部９’と、第２の領域１３の第１の面１０に配置されている着色部９''とが透けて見える。
【００６５】
図１４は、図１３に示される吸収性物品１の吸収シート４の展開図である。吸収シート４は、着色部９（第１の領域１２の着色部９’、及び第２の領域１３の着色部９''から成る）を有する第１の面１０と、第１の面１０の着色部９が透けて見える、第１の面１０の反対側にある第２の面１１とを有し、吸収シート４は、１本の折り畳み線ｆ−ｆにより、第１の領域１２及び第２の領域１３の２つの領域に区分けされている。
なお、図１４に示される吸収シートでは、着色部９’及び９''は、全て同一の明度を有するが、本発明の別の実施形態では、着色部９’と着色部９''とで、異なる明度を有してもよい。
【００６６】
図１５は、図１３及び図１４に記載される吸収性物品の正面図及び背面図である。図１５（ａ）がトップシート側の正面図であり、そして図１５（ｂ）がバックシート側の背面図である。図１５に示される吸収性物品１は、液透過性のトップシート２と、液不透過性のバックシート３と、吸収シート４と、サイドシート６と、下着への固定部８とを含み、トップシート２の側及びバックシート３の側の両側から、あらかじめ定められた模様５が見える。また、図１５に示される吸収性物品１は、圧搾部７を有する。
【００６７】
図１５に示される吸収性物品１では、トップシート２の側及びバックシート３の側から、明度の異なる星形の模様５が見える。
【００６８】
本発明の吸収性物品のさらに別の実施形態では、第１の面だけでなく、第２の面が着色部を有することができる。第２の面が着色部を有することにより、さらに複雑な模様を形成することができる。第２の面の着色部は、第１の面の着色部と同様の手法により、形成することができる。
また、本発明の吸収性物品では、トップシート及び／又はバックシートに模様が付されていてもよい。トップシート及び／又はバックシートそのものの模様と、吸収シートの第１の面に配置される着色部により形成される模様とを組み合わせることにより、さらに複雑な模様を形成することができる。
【００６９】
本発明の吸収性物品としては、例えば、個包装型の生理用ナプキン、パンティーライナー、失禁パッド、使い捨ておむつ等が挙げられ、模様により吸収した経血を目立たなくすることができる観点から、生理用ナプキン及びパンティーライナーが好ましい。
【実施例】
【００７０】
以下、例を挙げて本発明を説明するが、本発明はこれらの例に限定されるものではない。
［例１］
吸収シートに関して、坪量と、全光線透過率との関係を調査した。
吸収シートとして、繊維長約２．０〜約２．８ｍｍの、針葉樹１００％のパルプから製造されたティッシュと、レーヨン繊維（１．７ｄｔｅｘ×４０ｍｍ）及びポリエチレンテレフタレート繊維（２．２ｄｔｅｘ×５０ｍｍ）を、６０：４０（質量比）で含むスパンレースとを準備した。
【００７１】
全光線透過率は、日本電色工業株式会社製の測色色差計（型式ＮＤＨ−３００Ａ）を用い、上述の方法に従って測定した。測定は、場所を変えて３回行い、その平均値を採用した。結果を、以下の表１に示す。
【００７２】
また、上記吸収シートに、フレキソ印刷により、第１の面に、星形模様を有する着色部を形成し、反対側の第２の面から、上記模様が観察できるか、複数人で目視評価した。上記目視評価は、屋内の蛍光灯の下で実施された。結果を合わせて表１に示す。表１において、○は、第２の面から第１の面の着色部が透けて見えたことを意味し、そして×は、第１の面の着色部が透けて見えなかったことを意味する。
【００７３】
【表１】
0005693273.tif 000002
【００７４】
表１から、吸収シートとしてティッシュ及びスパンレースを用いる場合には、通常用いられる坪量の範囲内で、全光線透過率が４０％を超え、さらに目視評価でも第１の面の着色部が、第２の面から透けて見えることが確認された。
【００７５】
［例２］
トップシートの典型例として、エアスルー不織布（ポリエチレンテレフタレートの芯と、ポリエチレンの鞘から成る複合繊維であり、芯に４質量％の酸化チタンを含む繊維、繊維径：２．２ｄｔｅｘ、繊維長：４５ｍｍ、坪量：２５ｇ／ｍ2、厚さ：約０．３ｍｍ）を準備し、例１と同様に全光線透過率を測定し、そして目視評価したところ、全光線透過率は７１．５％であり、そして目視評価の結果は○であった。
【００７６】
バックシートの典型例として、ポリエチレン５０質量％と、炭酸カルシウム５０質量％とから成る、通気性バックシート（坪量３５ｇ／ｍ2）を準備し、例１と同様に全光線透過率を測定し、そして目視評価したところ、全光線透過率は４９．３％であり、そして目視評価の結果は○であった。
以上より、標準的なトップシート及びバックシートであれば、全光線透過率は４０％を超え、トップシート側及びバックシート側の両側から、あらかじめ定められた模様が見えることが分かる。
【００７７】
［例３］
［吸収性物品の製造］
吸収シートとして、繊維長約２．０〜約２．８ｍｍの、針葉樹１００％のパルプから製造されたティッシュ（坪量：１４ｇ／ｍ2、厚さ：約０．０５ｍｍ）を準備し、グラビア印刷機で、図３に示されるように、単色の青色の３つの楕円を印刷した。次いで、トップシートとして、エアスルー不織布（芯がポリエチレンテレフタレートで、鞘がポリエチレンの複合繊維からなり、芯に４質量％の酸化チタンを含む、繊維径：２．２ｄｔｅｘ、繊維長：４５ｍｍ、坪量：２５ｇ／ｍ2、厚さ：約０．３ｍｍ）を準備し、そしてバックシートとして、ポリエチレン５０質量％と、炭酸カルシウム５０質量％とから成る、通気性バックシート（坪量３５ｇ／ｍ2）を準備し、図２に示すような構造を有する吸収性物品を製造したところ、図１に示されるように、トップシート側からは、色の濃さ及び大きさの異なる３つの同心楕円から形成される模様が観察され、そしてバックシート側からは、単一の色の濃さを有する、１つの楕円から形成される模様が観察された。
【符号の説明】
【００７８】
１    吸収性物品
２    トップシート
３    バックシート
４    吸収シート
５    模様
６    サイドシート
７    圧搾部
８    固定部
９，９’，９''，９'''    着色部
１０    第１の面
１１    第２の面
１２    第１の領域
１３    第２の領域
１４    中間領域
１５    吸収コア
【図１】
0005693273.tif 000003
【図２】
0005693273.tif 000004
【図３】
0005693273.tif 000005
【図４】
0005693273.tif 000006
【図５】
0005693273.tif 000007
【図６】
0005693273.tif 000008
【図７】
0005693273.tif 000009
【図８】
0005693273.tif 000010
【図９】
0005693273.tif 000011
【図１０】
0005693273.tif 000012
【図１１】
0005693273.tif 000013
【図１２】
0005693273.tif 000014
【図１３】
0005693273.tif 000015
【図１４】
0005693273.tif 000016
【図１５】
0005693273.tif 000017